【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
それぞれ第１主表面と第２主表面とを有し、前記第１主表面を受光面として、光電変換素子本体がそれぞれ形成された複数の光電変換基板と、
前記複数の光電変換基板のそれぞれの前記第２主表面に、前記光電変換素子の端子としてそれぞれ形成された第１電極および第２電極と、
第１の方向に延在する櫛の背部、前記櫛の背部から前記第１の方向と交差する第２の方向に突出するように形成された第１櫛部および前記櫛の背部から前記第２の方向と反対向きの第３の方向に突出するように形成された第２櫛部を有し、前記複数の光電変換基板のうち、一の光電変換基板の前記第１電極に前記第１櫛部が接続され、前記一の光電変換基板と隣接する他の光電変換基板の前記第２電極に前記第２櫛部が接続されて、前記複数の光電変換基板を互いに電気的に接続する素子間配線部材とを備え、
前記隣接する二つの光電変換基板の一組に対して、これら二つの光電変換基板の並ぶ方向と交差する方向に、前記素子間配線部材が複数並ぶように配置された、光電変換素子接続体。
【請求項２】
前記隣接する二つの光電変換基板の少なくとも一方では、最も前記隣接する側に位置する前記第１電極および前記第１櫛部の接続部分と最も前記隣接する側に位置する前記第２電極および前記第２櫛部の接続部分との間で、前記第２主表面に絶縁層が配置された、請求項１に記載の光電変換素子接続体。
【請求項３】
前記複数の光電変換基板のそれぞれでは、
前記第１電極は互いに間隔を隔てて複数形成され、
前記第２電極は前記第１電極とは異なる位置に互いに間隔を隔てて複数形成された、
請求項１または２に記載の光電変換素子接続体。
【請求項４】
前記素子間配線部材は前記第１櫛部と前記第２櫛部とをそれぞれ１本のみ備えた、請求項１〜３のいずれか１項に記載の光電変換素子接続体。
【請求項５】
請求項１〜４のいずれか１項に記載の光電変換素子接続体を備えた、光電変換モジュール。
【手続補正２】
【補正対象書類名】明細書
【補正対象項目名】発明の名称
【補正方法】変更
【補正の内容】
【発明の名称】光電変換素子接続体および光電変換モジュール
【手続補正３】
【補正対象書類名】明細書
【補正対象項目名】０００１
【補正方法】変更
【補正の内容】
【０００１】
本発明は、光電変換素子接続体および光電変換モジュールに関し、複数の光電変換素子基板が複数の素子間配線部材によって互いに電気的に接続された光電変換素子接続体と、そのような光電変換素子接続体を備えた光電変換モジュールとに関するものである。
【手続補正４】
【補正対象書類名】明細書
【補正対象項目名】００１２
【補正方法】変更
【補正の内容】
【００１２】
本発明は上記問題点を解決するためになされたものであり、一つの目的は、光電変換素子をより確実に接続する素子間配線部材によって複数の光電変換素子が互いに接続された光電変換素子接続体を提供することであり、他の目的は、そのような光電変換素子接続体を備えた光電変換モジュールを提供することである。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
本発明に係る光電変換素子接続体は、それぞれ第１主表面と第２主表面とを有し、前記第１主表面を受光面として、光電変換素子本体がそれぞれ形成された複数の光電変換基板と、前記複数の光電変換基板のそれぞれの前記第２主表面に、前記光電変換素子の端子としてそれぞれ形成された第１電極および第２電極と、第１の方向に延在する櫛の背部、前記櫛の背部から前記第１の方向と交差する第２の方向に突出するように形成された第１櫛部および前記櫛の背部から前記第２の方向と反対向きの第３の方向に突出するように形成された第２櫛部を有し、前記複数の光電変換基板のうち、一の光電変換基板の前記第１電極に前記第１櫛部が接続され、前記一の光電変換基板と隣接する他の光電変換基板の前記第２電極に前記第２櫛部が接続されて、前記複数の光電変換基板を互いに電気的に接続する素子間配線部材とを備え、前記隣接する二つの光電変換基板の一組に対して、これら二つの光電変換基板の並ぶ方向と交差する方向に、前記素子間配線部材が複数並ぶように配置される。
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００７８
【補正方法】変更
【補正の内容】
【００７８】
なお、上述した実施の形態では、素子形成基板として光電変換素子本体が形成された光電変換基板を例に挙げて説明した。素子形成基板としては、光電変換素子本体以外の素子が形成された基板でもよい。
上述した実施の形態の素子間配線部材は、所定の素子本体と複数の電極がそれぞれ形成された、一の素子形成基板と他の素子形成基板とを、互いに電気的に接続するための櫛構造の素子間配線部材であって、櫛の背部と第１櫛部と第２櫛部とを備えている。櫛の背部は、一の素子形成基板および他の素子形成基板の配置関係に基づいて第１の方向に延在している。第１櫛部は、その櫛の背部から第１の方向と交差する第２の方向に突出するように形成され、一の素子形成基板の複数の電極のうちの所定の電極に電気的に接続される。第２櫛部は、櫛の背部から第２の方向と反対向きの第３の方向に突出するように形成され、他の素子形成基板の複数の電極のうちの所定の電極に電気的に接続される。この構成によれば、素子間配線部材が櫛構造とされることで、素子形成基板の位置をずらしたり、素子形成基板の向きを変えたりするなどの必要がなくなり、隣接する一の素子形成基板と他の素子形成基板とを容易に接続することができる。
また、上述した実施の形態において、その第１櫛部の幅は、一の素子形成基板の所定の電極の平面的寸法よりも長く設定され、第２櫛部の幅は、他の素子形成基板の所定の電極の平面的寸法よりも長く設定されていることが好ましい。この場合には、素子間配線部材の第１電極または第２電極に対する位置合わせが容易になる。また、素子間配線部材の電気抵抗を下げることができる。
上述した実施の形態において、一の素子形成基板において所定の電極が形成された面と、他の素子形成基板において所定の電極が形成された面とが同じ向きの状態で、第１櫛部が一の素子形成基板の所定の電極に接続され、第２櫛部が他の素子形成基板の所定の電極に接続されることが好ましい。これにより、一の素子形成基板と他の素子形成基板とを、同じ側の面において素子間配線部材により電気的に接続することができる。
上述した実施の形態の光電変換素子は、光電変換基板と第１電極および第２電極と素子間配線部材とを備えている。光電変換基板は、第１主表面と第２主表面とを有し、第１主表面を受光面として光電変換素子本体が形成されている。第１電極および第２電極は、光電変換基板の第２主表面に、光電変換素子本体の端子としてそれぞれ形成されている。素子間配線部材は、第１の方向に延在する櫛の背部、その櫛の背部から第１の方向と交差する第２の方向に突出するように形成された第１櫛部および櫛の背部から第２の方向とは反対向きの第３の方向に突出するように形成された第２櫛部を有し、第１櫛部が第１電極に接続されている。この構成によれば、素子間配線部材が櫛構造とされることで、光電変換基板の位置をずらしたり、光電変換基板の向きを変えたりするなどの必要がなくなり、隣接する光電変換基板同士を容易に接続することができる。
上述の実施形態において、光電変換基板の具体的態様としては、第１電極は互いに間隔を隔てて複数形成され、第２電極は、第１電極とは異なる位置に互いに間隔を隔てて複数形成されていることが好ましい。
上述した実施の形態の光電変換素子接続体は、複数の光電変換基板と第１電極および第２電極と複数の素子間配線部材とを備えている。複数の光電変換基板は、それぞれ第１主表面と第２主表面とを有し、第１主表面を受光面として、光電変換素子本体がそれぞれ形成されている。第１電極および第２電極は、複数の光電変換基板のそれぞれの第２主表面に、光電変換素子の端子としてそれぞれ形成されている。複数の素子間配線部材は、第１の方向に延在する櫛の背部、その櫛の背部から第１の方向と交差する第２の方向に突出するように形成された第１櫛部および櫛の背部から第２の方向と反対向きの第３の方向に突出するように形成された第２櫛部をそれぞれ有し、複数の光電変換基板のうち、一の光電変換基板の第１電極に第１櫛部が接続され、一の光電変換基板と隣接する他の光電変換基板の第２電極に第２櫛部が接続されて、複数の光電変換基板を互いに電気的に接続する。この構成によれば、互いに隣接する一の光電変換基板と他の光電変換基板とを電気的に接続する素子間配線部材が櫛構造とされて、第１櫛部が第１電極に接続され、第２櫛部が第２電極に接続されることで、光電変換基板の位置をずらしたり、光電変換基板の向きを変えたりするなどの必要がなくなり、隣接する光電変換基板同士を容易に接続することができる。
上述した実施の形態において、光電変換基板の具体的態様として、複数の光電変換基板のそれぞれでは、第１電極は互いに間隔を隔てて複数形成され、第２電極は、第１電極とは異なる位置に互いに間隔を隔てて複数形成されていることが好ましい。
上述した実施の形態の光電変換モジュールは、上記光電変換素子接続体を備えている。したがって、この光電変換モジュールでは、上述したように、光電変換基板の位置をずらしたり、光電変換基板の向きを変えたりするなどの必要がなくなり、隣接する光電変換基板を容易に接続することができる。